(57)【要約】【課題】  楽器全体が大型化せず、スピーカの音を楽器本体の前側に向けて良好に放音することができる鍵盤楽器を提供する。【解決手段】  楽器本体１内の前側に配置された鍵盤部７を開閉自在に覆う鍵盤蓋１８を、楽器本体１内におけるスピーカ８の上側に引出し可能に収納すると共に、この鍵盤蓋１８にスピーカ８の音を楽器本体１の前側に向けて放音する多数の小孔２８を有する放音部２６を設けた。従って、鍵盤部７を操作して演奏する際に、鍵盤蓋１９を楽器本体１内に収納しても、鍵盤蓋１８に設けられた放音部２６の多数の小孔２８によってスピーカ８の音を楽器本体１の前側に向けて放音することができる。このため、楽器本体１内にスピーカ８を設置するためのスペースを確保でき、これにより楽器全体が大型化せず、スピーカ８の音が楽器本体１内にこもらずに、スピーカ８の音を良好に楽器本体１の外部に放音することができる。【選択図】        図２
2010286633.tif 000002
【特許請求の範囲】
【請求項１】
楽器本体と、
この楽器本体内の前側に配置された鍵盤部と、
前記楽器本体内における前記鍵盤部の後方に配置されたスピーカと、
前記楽器本体内における前記スピーカの上側に引出し可能に収納されて引き出された際に前記鍵盤部の上側を覆う鍵盤蓋と、
この鍵盤蓋に設けられ、前記スピーカの音を前記楽器本体の前側に向けて放音する多数の小孔を有する放音部と
を備えていることを特徴とする鍵盤楽器。
【請求項２】
前記鍵盤部は、押鍵操作に応じてそれぞれ上下方向に回動する光透過性を有する複数の鍵と、この複数の鍵にそれぞれ対応した状態で設けられて前記複数の鍵の内面にそれぞれ光を照射して前記複数の鍵をそれぞれ光らせるための複数の発光部とを備えていることを特徴とする請求項１に記載の鍵盤装置。
【発明の詳細な説明】
【技術分野】
【０００１】
この発明は、鍵盤部の押鍵操作に応じてスピーカが楽音を放音する電子ピアノなどの鍵盤楽器に関する。
【背景技術】
【０００２】
一般に、電子ピアノなどの鍵盤楽器においては、楽器本体内に配置された鍵盤部を開閉自在に覆う鍵盤蓋をスライド可能に設け、演奏する際に鍵盤蓋を楽器本体内の後部側に収納し、この状態で鍵盤部を押鍵操作すると、その押鍵操作に応じてスピーカが楽音を放音するように構成されている。
【０００３】
このような鍵盤楽器では、楽器本体内における鍵盤部の後方にスピーカを配置すると、演奏する際に鍵盤蓋が楽器本体内の後部側に収納されるため、この鍵盤蓋によってスピーカが覆われてしまい、スピーカの音が楽器本体内にこもり、スピーカが実際に放音した音と異なった音が演奏者に聞こえる。
【０００４】
そこで、従来の鍵盤楽器では、特許文献１に記載されているように、楽器本体内に収納された鍵盤蓋の上方に位置する楽器本体内にスピーカを配置し、鍵盤蓋を楽器本体内の後部側に収納しても、スピーカの音が楽器本体内にこもらず、良好にスピーカの音を楽器本体の前側に向けて放音するように構成している。
【先行技術文献】
【特許文献】
【０００５】
【特許文献１】特開平１０−３９８６８号公報
【発明の概要】
【発明が解決しようとする課題】
【０００６】
しかしながら、このような従来の鍵盤楽器では、楽器本体内に収納された鍵盤蓋の上方に位置する楽器本体内にスピーカを配置するためには、楽器本体内に収納された鍵盤蓋の上方に位置する楽器本体内にスピーカを設置するための広い設置スペースを設けなければならず、このため楽器本体の厚みが厚くなり、楽器全体が大型化するという問題がある。
【０００７】
この発明が解決しようとする課題は、楽器全体が大型化せず、スピーカの音が楽器本体内にこもらずに、スピーカの音を楽器本体の前側に向けて良好に放音することができる鍵盤楽器を提供することである。
【課題を解決するための手段】
【０００８】
この発明は、上記課題を解決するために、次のような構成要素を備えている。
請求項１に記載の発明は、楽器本体と、この楽器本体内の前側に配置された鍵盤部と、前記楽器本体内における前記鍵盤部の後方に配置されたスピーカと、前記楽器本体内における前記スピーカの上側に引出し可能に収納されて引き出された際に前記鍵盤部の上側を覆う鍵盤蓋と、この鍵盤蓋に設けられ、前記スピーカの音を前記楽器本体の前側に向けて放音する多数の小孔を有する放音部とを備えていることを特徴とする鍵盤楽器である。
【０００９】
請求項２に記載の発明は、前記鍵盤部が、押鍵操作に応じてそれぞれ上下方向に回動する光透過性を有する複数の鍵と、この複数の鍵にそれぞれ対応した状態で設けられて前記複数の鍵の内面にそれぞれ光を照射して前記複数の鍵をそれぞれ光らせるための複数の発光部とを備えていることを特徴とする請求項１に記載の鍵盤装置。
【発明の効果】
【００１０】
この発明によれば、演奏する際に鍵盤蓋を楽器本体内に収納しても、鍵盤蓋に設けられた放音部の多数の小孔によってスピーカの音を楽器本体の前側に向けて放音することができるので、楽器本体内に収納された鍵盤蓋の下側に位置する楽器本体内にスピーカを設置するためのスペースを確保することができ、これにより楽器全体が大型化せず、スピーカの音が楽器本体内にこもらずに、スピーカ８の音を良好に楽器本体の外部に放音することができ、音響的に好ましいものを提供することができる。
【図面の簡単な説明】
【００１１】
【図１】この発明を適用した電子鍵盤楽器の一実施形態において鍵盤蓋が鍵盤部を覆った状態を示した断面図である。
【図２】図１の電子鍵盤楽器において鍵盤蓋を楽器本体内に収納して鍵盤部を開放させた状態を示した断面図である。
【図３】図１の鍵盤蓋における放音部を示した要部の拡大断面図である。
【図４】図１の一実施形態の放音部における小孔の変形例を示した要部の拡大断面図である。
【発明を実施するための形態】
【００１２】
以下、図１〜図３を参照して、この発明を適用した電子鍵盤楽器の一実施形態について説明する。
この電子鍵盤楽器は、図１および図２に示すように、楽器本体１を備えている。この楽器本体１は、底板２と、この底板２の前端部（図１では左端部）に起立して設けられた前板３と、底板２の後端部（図１では右端部）に起立して設けられた背面板４と、底板２の両側部にそれぞれ起立して設けられた一対の側板５（図１および図２では一方のみを示す）と、この一対の側板５および背面板４の各上端部に設けられた天板６とを備えている。
【００１３】
この場合、底板２は、図示しないが、脚部を有する載置台上に配置されるように構成されている。前板３は、図１および図２に示すように、背面板４のほぼ半分程度の高さで形成されている。また、一対の側板５は、その手前側の上部がほぼＬ字形状にそれぞれ切り欠かれている。天板６は、底板２の半分程度の大きさに形成され、一対の側板５における後部側の上端部と背面板６の上端部とに亘って配置された状態で取り付けられている。これにより、楽器本体１は、図１および図２に示すように、前側半分程度が上方に開放された構成になっている。
【００１４】
この楽器本体１内における底板２上には、図１および図２に示すように、鍵盤部７が上方に開放された前側半分程度に位置する箇所に対応して配置されている。また、この鍵盤部７の後方に位置する箇所の底板２上には、楽音を発音するためのスピーカ８が下向きに配置されている。この場合、鍵盤部７は、楽器本体１の底板２上に配置された鍵盤シャーシ１０を備えている。
【００１５】
この鍵盤シャーシ１０上には、図１および図２に示すように、上下方向に回動可能に配列された複数の鍵１１と、この複数の鍵１１の押鍵操作に応じて各鍵１１にそれぞれアクション荷重を付与する複数のハンマー部材１２と、複数の鍵１１の各押鍵操作に応じてそれぞれスイッチ信号を出力するスイッチ部１３と、複数の鍵１１の内側にそれぞれ光を照射する複数の発光部１４とが設けられている。
【００１６】
この場合、複数の鍵１１は、図１および図２に示すように、白鍵および黒鍵からなり、光透過性を有する合成樹脂によって形成され、これらが音階順に複数配列された構成になっている。複数のハンマー部材１２は、複数の鍵１１の下側にそれぞれ対応した状態で、鍵盤シャーシ１０にそれぞれ回動可能に取り付けられ、各鍵１１の押鍵操作に応じてそれぞれ押し下げられる際に、各ハンマー部材１２がその重量に抗して回動することにより、各鍵１１にそれぞれアクション荷重付与するように構成されている。
【００１７】
スイッチ部１３は、図１および図２に示すように、スイッチ基板１５上に配置されたゴムシート１６を備え、このゴムシート１６にドーム状の膨出部を鍵１１のスイッチ押圧部１７にそれぞれ対応させて形成し、この膨出部がスイッチ押圧部１７によって押圧された際に、膨出部が弾性変形して、その内部の可動接点がスイッチ基板１５上の固定接点に接触することにより、各鍵１１の押鍵操作に応じてそれぞれスイッチ信号を出力するように構成されている。
【００１８】
複数の発光部１４は、発光ダイオード（ＬＥＤ）などの発光素子からなり、図１および図２に示すように、鍵盤シャーシ１０上に複数の鍵１１である各白鍵および各黒鍵の各前部にそれぞれ対応して設けられている。この場合、白鍵に対応する発光部１４は、鍵盤シャーシ１０の前側上部に設けられて、白鍵の前側内部に光を照射するように構成されている。また、黒鍵に対応する発光部１４は、鍵盤シャーシ１０の中間部における上部に設けられて、黒鍵の前側内部に光を照射するように構成されている。
【００１９】
これにより、複数の発光部１４は、発光した光をそれぞれ各鍵１１の前側内部に照射し、その照射された光が各鍵１１を透過して鍵１１の前部側を光らせるように構成されている。また、この複数の発光部１４は、複数の鍵１１を押鍵操作すると、その押鍵操作された鍵１１に対応する発光部１４が発光するように制御されるほか、自動演奏の際にその演奏曲に応じた鍵１１に対応する発光部１４が順次発光するように制御される構成になっている。
【００２０】
ところで、この楽器本体１には、図１および図２に示すように、鍵盤部７の上側を覆う鍵盤蓋１８が開閉可能に設けられている。この鍵盤蓋１８は、鍵盤部７を操作しないときに、図１に示すように、鍵盤部７の上方に配置されて鍵盤部７を覆い、鍵盤部７を操作するときに、図２に示すように、楽器本体１内の後部側（図２では右側）に収納されて鍵盤部７を露出させるように構成されている。
【００２１】
この場合、楽器本体１の側板５の内面における前側上部（図１では左側上部）には、図１および図２に示すように、鍵盤蓋１８の前部をスライド可能にガイドする前側ガイド部１９が前下がり（図１では左下がり）に傾斜した状態で設けられている。この前側ガイド部１９は、側板５の内面に設けられた溝部である。また、楽器本体１の側板５の内面における後部上側（図１では右上側）には、鍵盤蓋１８の後部をスライド可能にガイドする後側ガイド部２０が少し後部下がり（図１では右下がり）に傾斜した状態で設けられている。この後側ガイド部２０には、ラックギア２１が後側ガイド部２０に沿って設けられている。
【００２２】
一方、鍵盤蓋１８の前端部（図１では左端部）には、図１および図２に示すように、前側ガイド部１９内に挿入された状態で前側ガイド部１９に沿って移動する前側ガイド軸２２が設けられていると共に、鍵盤蓋１８を開閉するための取手部２３が設けられている。また、この鍵盤蓋１８の後端部（図１では右端部）には、後側ガイド部２０に沿って移動する後側ガイド軸２４が設けられており、この後側ガイド軸２４には、後側ガイド部２０のラックギア２１に噛み合って転動するピニオンギア２５が回転自在に取り付けられている。
【００２３】
また、この鍵盤蓋１８には、図１および図２に示すように、放音部２６が設けられている。この放音部２６は、金属または合成樹脂などからなる平板２７に多数の小孔２８を上下に貫通させて形成した構成になっている。この場合、小孔２８は、スピーカ８の音を楽器本体１の前側に向けて放音させるように形成されている。
【００２４】
すなわち、この小孔２８は、図３に示すように、上方に開放された第１穴部２８ａと下方に開放された第２穴部２８ｂとを相互に接触または相互に食い込ませて連通させた形状に形成されている。この場合、第１穴部２８ａは、その内径が０.３ｍｍ〜１ｍｍ程度の大きさであり、第２穴部２８ｂに対して鍵盤蓋１８の前側（図３では左側）に位置して設けられている。また、第２穴部２８ｂは、その内径が０.３ｍｍ〜１ｍｍ程度の大きさであり、第１穴部２８ａに対して鍵盤蓋１８の後側（図３では右側）に位置して設けられている。
【００２５】
これにより、小孔２８は、図３に示すように、スピーカ８の音が第２穴部２８ｂの下側から入り、その内部で第１穴部２８ａ内に取り込まれ、この第１穴部２８ａの上側から放音されることにより、図２に示すように、鍵盤蓋１８を楽器本体１内の後部側（図２では右側）に収納した状態で、スピーカ８の音を楽器本体１の前側（図３では左側）に向けて放音させるように構成されている。
【００２６】
また、この小孔２８は、図３に示すように、鍵盤部７の複数の発光部１４が発光して各鍵１１が光った際に、その光が第２穴部２８ｂの下側から入射し、第１穴部２８ａの上側から放出されることにより、図１に示すように、鍵盤蓋１８を閉じて鍵盤部７の上側を覆った状態でも、鍵盤蓋１８の放音部２６を通して、複数の鍵１１の発光状態が見えるように構成されている。
【００２７】
次に、この鍵盤蓋１８の作用について説明する。
まず、鍵盤蓋１８を楽器本体１内に収納して鍵盤部７を露出させる場合には、図１に示すように、鍵盤蓋１８の前端部に設けられた取手部２３を手で持ち上げながら、鍵盤蓋１８を楽器本体１の後部側（図１では右側）に向けて移動させる。
【００２８】
すると、鍵盤蓋１８の前端部に設けられた前側ガイド軸２２が楽器本体１の前側ガイド部１９に沿って楽器本体１の後部側に向けて移動すると共に、鍵盤蓋１８の後端部に設けられた後側ガイド軸２４が楽器本体１の後側ガイド部２０に沿って移動することにより、この後側ガイド軸２４に設けられたピニオンギア２５が後側ガイド部２０のラックギア２１に噛み合った状態で楽器本体１の後部側に向けて転動する。
【００２９】
これにより、鍵盤蓋１８は、図２に示すように、楽器本体１の前部側（図２では左側）を開放して鍵盤部７を露出させた状態で、楽器本体１内の後部側（図２では右側）に収納される。この状態で、鍵盤部７の複数の鍵１１を押鍵操作して演奏すると、その演奏に応じた楽音がスピーカ８から放音される。この放音された音は、楽器本体１内にこもることがなく、楽器本体１内に収納された鍵盤蓋１８の放音部２６から楽器本体１の前側に向けて放音される。
【００３０】
すなわち、放音部２６は、平板２７に多数の小孔２８を上下に貫通させた構成であるから、この多数の小孔２８を通してスピーカ８の音を楽器本体１の外部に放音させることができる。この場合、小孔２８は、上方に開放された第１穴部２８ａと下方に開放された第２穴部２８ｂとを相互に接触または相互に食い込ませて連通させた形状に形成されているので、スピーカ８の音を第２穴部２８ｂの下側から取り込み、その内部で第１穴部２８ａ内に送り込み、この送り込まれた音を第１穴部２８ａの上側から放音させることができる。
【００３１】
特に、第１穴部２８ａは、図２および図３に示すように、第２穴部２８ｂに対して鍵盤蓋１８の前側（図３では左側）に位置して設けられており、第２穴部２８ｂは、第１穴部２８ａに対して鍵盤蓋１８の後側（図３では右側）に位置して設けられているので、スピーカ８の音を後側に位置する第２穴部２８ｂの下側から取り込んで、前側に位置する第１穴部２８ａの上側から放音することにより、図２に示すように、鍵盤蓋１８を楽器本体１内の後部側に収納した状態で、スピーカ８の音を楽器本体１の前側に向けて良好に放音させることができる。
【００３２】
また、鍵盤蓋１８を楽器本体１内の後部側（図２では右側）から前部側（図２では左側）に引き出して鍵盤部７を覆う場合には、図２に示すように、鍵盤蓋１８の前端部に設けられた取手部２３を手前側に引き出す。すると、鍵盤蓋１８の前端部に設けられた前側ガイド軸２２が楽器本体１の前側ガイド部１９に沿って楽器本体１の前側に向けて移動すると共に、鍵盤蓋１８の後端部に設けられた後側ガイド軸２４が楽器本体１の後側ガイド部２０に沿って移動することにより、この後側ガイド軸２４に設けられたピニオンギア２５が後側ガイド部２０のラックギア２１に噛み合った状態で楽器本体１の前側に向けて転動する。
【００３３】
これにより、鍵盤蓋１８は、図１に示すように、楽器本体１内の後部側（図２では右側）から前部側（図２では左側）に引き出されて、楽器本体１の前部側に配置されて鍵盤部７の上側を覆う。この状態で、例えば自動演奏を選択して動作させると、鍵盤蓋１８によってスピーカ８が覆われていないので、スピーカ８の音が楽器本体１内にこもらず、スピーカ８の音を良好に楽器本体１の外部に放音することができる。
【００３４】
このときには、鍵盤部７の複数の発光部１４が選択された演奏曲に応じて順次発光し、その演奏曲に応じて各鍵１１を順次光らせることができる。この場合、鍵盤蓋１８が鍵盤部７を覆っていても、演奏曲に応じて順次光った各鍵１１の光が放音部２６の各小孔２８を透過するので、鍵盤蓋１８の放音部２６を通して、各鍵１１の発光状態を見ることができる。
【００３５】
このように、この電子鍵盤楽器によれば、楽器本体１内の前側に配置された鍵盤部７を開閉自在に覆う鍵盤蓋１８を、楽器本体１内におけるスピーカ８の上側に引出し可能に収納すると共に、この鍵盤蓋１８にスピーカ８の音を楽器本体１の前側に向けて放音する多数の小孔２８を有する放音部２６を設けているので、スピーカ８の音を良好に楽器本体１の外部に放音することができ、これにより音響的に好ましいものを提供することができる。
【００３６】
すなわち、この電子鍵盤楽器では、鍵盤部７を操作して演奏する際に、鍵盤蓋１９が楽器本体１内に収納されていても、鍵盤蓋１８に設けられた放音部２６の多数の小孔２８によってスピーカ８の音を楽器本体１の前側に向けて放音することができるので、楽器本体１内に収納された鍵盤蓋１８の下側に位置する楽器本体１内にスピーカ８を設置するためのスペースを十分に確保することができ、これにより楽器全体が大型化するのを防ぐことができる。
【００３７】
また、放音部２６は、平板２７に多数の小孔２８を上下に貫通させた構成であるから、この多数の小孔２８を通してスピーカ８の音を楽器本体１の外部に放音させることができる。すなわち、小孔２８は、上方に開放された第１穴部２８ａと下方に開放された第２穴部２８ｂとを相互に接触または相互に食い込ませて連通させた形状に形成されているので、スピーカ８の音を第２穴部２８ｂの下側から取り込み、その内部で第１穴部２８ａ内に送り込み、この送り込まれた音を第１穴部２８ａの上側から放音させることができる。
【００３８】
この場合、第１穴部２８ａは、図２および図３に示すように、第２穴部２８ｂに対して鍵盤蓋１８の前側に位置して設けられており、第２穴部２８ｂは、第１穴部２８ａに対して鍵盤蓋１８の後側に位置して設けられているので、スピーカ８の音を後側に位置する第２穴部２８ｂの下側から取り込んで、前側に位置する第１穴部２８ａの上側から放音することができ、これにより、図２に示すように、鍵盤蓋１８を楽器本体１内の後部側に収納した状態で、スピーカ８の音を楽器本体１の前側に向けて良好に放音させることができる。
【００３９】
また、この電子鍵盤楽器によれば、鍵盤部７が複数の鍵１１に選択的に光を照射させて各鍵１１を光らさせるための複数の発光部１４を備えているので、押鍵操作に応じて各鍵１１を順次光らせることができると共に、自動演奏時にはその演奏曲に応じて各鍵１１を発光部１４によって順次光らせることができる。
【００４０】
この場合、鍵盤蓋１８が楽器本体１の前部側に配置されて鍵盤部７を覆った状態で、自動演奏を行い、その演奏曲に応じて各鍵１１を複数の発光部１４によってそれぞれ選択的に光らせた際には、その演奏曲に応じて選択的に光った各鍵１１の光がそれぞれ放音部２６の各小孔２８を透過するので、鍵盤蓋１８が鍵盤部７を覆っていても、鍵盤蓋１８の放音部２６を通して、各鍵１１の発光状態を見ることができる。このため、各鍵１１の発光状態がイルミネーションとしての効果を有するので、デザイン的にも好ましいものを提供することができる。
【００４１】
なお、前述した一実施形態では、鍵盤蓋１８の放音部２６に設けられた多数の小孔２８が、上方に開放された第１穴部２８ａと下方に開放された第２穴部２８ｂとを相互に接触または相互に食い込ませて連通させた形状に形成されている場合について述べたが、これに限らず、例えば図４に示す変形例のように、多数の小孔３０をそれぞれ斜め前上がり（図４では左上がり）に傾斜させて形成した構成であっても良い。
【００４２】
すなわち、この小孔３０は、その上部３０ａが下部３０ｂよりも楽器本体１の前側（図４では左側）に位置するように傾斜させて形成すれば良い。この場合、小孔３０は、その上部３０ａの内径を下部３０ｂの内径よりも大きいラッパ形状に形成しても良い。このように形成しても、前述した実施形態と同様、スピーカ８の音を楽器本体１の前側に向けて良好に放音させることができる。
【００４３】
また、前述した一実施形態では、スピーカ８を楽器本体１の底板２上に下向きに取り付けた場合について述べたが、鍵盤蓋１８に設けられた放音部２６によってスピーカ８の音を楽器本体１の外部に放音することができるので、必ずしもスピーカ８を下向きに設ける必要はなく、例えば上向きに設けても良く、また横向きに設けても良い。
【００４４】
さらに、前述した一実施形態では、押鍵操作時に鍵盤９にそれぞれアクション荷重を付与する複数のハンマー部材１０を備えた電子鍵盤楽器に適用した場合について述べたが、必ずしもハンマー部材１０を備えた電子鍵盤楽器である必要はなく、ハンマー部材１０を用いない簡易型の電子鍵盤楽器にも広く適用することができる。
【符号の説明】
【００４５】
１  楽器本体
２  底板
３  前板
４  背面板
５  側板
６  天板
７  鍵盤部
８  スピーカ
１０  鍵盤シャーシ
１１  鍵
１３  スイッチ部
１４  発光部
１８  鍵盤蓋
２６  放音部
２７  平板
２８、３０  小孔
【図１】
2010286633.tif 000003
【図２】
2010286633.tif 000004
【図３】
2010286633.tif 000005
【図４】
2010286633.tif 000006